【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
コントロール用つまみおよび表示画面を有するコンピュータシステムにおいて、
前記コントロール用つまみが静止している所定の期間にわたって、前記コントロール用つまみに近接または接触している物理的存在を検出するステップと、
前記検出ステップに応答して表示画面上に表示ウィジェットを表示するステップであって、前記表示ウィジェットが、前記コントロール用つまみと関連付けられたステータス情報を提供するステップと
を含むことを特徴とする方法。
【請求項２】
前記ステータス情報に音量設定が含まれることを特徴とする請求項１に記載の方法。
【請求項３】
前記コントロール用つまみに近接または接触している前記物理的存在の検出を行いながら、前記コントロール用つまみ以外の入力用コントロールに応答して前記表示ウィジェット中の前記ステータス情報を変えるステップをさらに含むことを特徴とする請求項１に記載の方法。
【請求項４】
前記入力用コントロールがポインティングデバイスであることを特徴とする請求項３に記載の方法。
【請求項５】
補助用コントロールおよび表示画面を有するコンピュータシステムにおいて、
補助用コントロールが現在の状態を維持している第１の所定の期間にわたって、前記補助用コントロールに近接または接触している物理的存在を検出するステップと、
第１のコンテキストにおいて前記検出するステップに応答して前記表示画面に第１の表示ウィジェットを表示するステップであって、前記第１の表示ウィジェットが前記補助用コントロールと関連付けられたステータス情報を提供するステップと、
前記第１のコンテキストとは異なる第２のコンテキストにおいて、前記検出するステップに応答して前記表示画面に第２の表示ウィジェットを表示するステップであって、前記第２の表示ウィジェットは前記第２のコンテキストと関連付けられたステータス情報を提供するステップと
を含むことを特徴とする方法。
【請求項６】
ロッカースイッチまたはダイヤルスイッチのいずれか１つであるコントロールスイッチを有するコンピュータシステムにおいて、
前記コントロールスイッチが現在のスイッチ状態を維持する所定期間にわたって、前記コントロールスイッチに近接する物理的存在を検出するステップと、
前記検出するステップに応答して前記表示画面に表示ウィジェットを表示するステップであって、前記表示ウィジェットは前記コントロールスイッチに関連付けられたステータス情報を提供するステップと
を備えたことを特徴とする方法。
【請求項７】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報は、マルチメディアアプリケーションの場合、前記ステータス情報が、曲名、残りの曲時間、曲の長さ、アルバムタイトル、およびアルバム全体の長さのうち少なくとも１つを示すことを特徴とする方法。
【請求項８】
前記表示するステップが、マルチメディアコントロールパネルを表示することをさらに含むことを特徴とする請求項７に記載の方法。
【請求項９】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報がゲームに関連することを特徴とする方法。
【請求項１０】
第１の補助用コントロールおよび表示画面を有するコンピュータシステムにおいて、
前記第１の補助用コントロールが現在の状態を維持している所定の期間にわたって、前記第１の補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと、
前記第１の補助用コントロール以外の第２の補助用コントロールに応答して、前記表示ウィジェット中の前記ステータス情報を変えるステップと
を含むことを特徴とする方法。
【請求項１１】
前記第１の補助用コントロールがヘッドセットまたはマイクロフォンであることを特徴とする請求項１０に記載の方法。
【請求項１２】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報が、現在実行中のアプリケーションを示すことを特徴とする方法。
【請求項１３】
ユーザが前記補助用コントロールを使用してアプリケーションを選択するのに応答して、示される前記アプリケーションを前記表示画面の最前面に配置するステップをさらに含むことを特徴とする請求項１２に記載の方法。
【請求項１４】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報がタスクバーを含むことを特徴とする方法。
【請求項１５】
前記表示ウィジェットを表示した状態で、第２の所定期間にわたる、前記補助用コントロールに近接または接触した前記物理的存在の不在を検出するステップと、
前記物理的存在の前記不在の検出に応答して、前記表示ウィジェットの表示を中止するステップと
をさらに含むことを特徴とする請求項５に記載の方法。
【請求項１６】
補助用コントロールおよび表示画面を有するコンピュータシステムにおいて、
前記補助用コントロールが現在のコントロール状態を維持する所定期間にわたって、前記補助用コントロールに近接または接触している物理的存在を検出するステップと、
前記検出ステップに応答して前記表示画面に表示ウィジェットを表示するステップであって、前記表示ウィジェットが、前記補助用コントロールに関連付けられたステータス情報を提供するステップと
を備え、前記補助用コントロールがジョイスティックまたはホイールの１つであることを特徴とする方法。
【請求項１７】
前記補助用コントロールが、ボタンまたはキーのいずれかであることを特徴とする請求項５に記載の方法。
【請求項１８】
前記物理的存在がユーザの手であることを特徴とする請求項５に記載の方法。
【請求項１９】
補助用コントロールおよび表示画面を有するコンピュータシステムにおいて、
補助用コントロールが現在の状態を維持している第１の所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと、
前記表示ウィジェットを表示した状態で、第２の所定期間にわたる、前記補助用コントロールに近接または接触した前記物理的存在の不在を検出するステップと、
前記検出ステップに応答して、前記表示画面上の前記表示ウィジェット内にポインタが置かれているかどうかを判定するステップと、
前記ポインタが前記表示ウィジェット内に置かれていない場合、前記表示ウィジェットの表示を中止するステップと
をさらに含むことを特徴とする方法。
【請求項２０】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報が、アクティブ状態の１つのアプリケーションにのみ適用できることを示すことを特徴とする方法。
【請求項２１】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、第１のアプリケーションがアクティブである際に表示される、前記補助用コントロールに関連付けられたステータス情報のタイプが、第２のアプリケーションがアクティブである際に表示される、前記補助用コントロールに関連付けられたステータス情報のタイプと異なることを特徴とする方法。
【請求項２２】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報が、メッセージング（ｍｅｓｓａｇｉｎｇ）に関連する情報であることを特徴とする方法。
【請求項２３】
前記ステータス情報に、新着（ｎｅｗ）または未読の、標準的優先度または高優先度のメッセージの数、インボックスウィンドウ、最も新しく受信したメッセージの少なくとも１つに関する簡潔な情報、および警告ステータスの１つが含まれることを特徴とする請求項２２に記載の方法。
【請求項２４】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、ウェブブラウザがアクティブなアプリケーションであるときに、前記ステータス情報が、最も最近使用した検索の少なくとも１つ、最も最近得られた検索結果の少なくとも１つ、訪問することが可能な前のウェブページおよび次のウェブページの識別、気に入っているウェブページのリスト、および現在のページローディング情報を含むことを方法。
【請求項２５】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報が、プリンタのステータス情報を提供することを特徴とする方法。
【請求項２６】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報が、クリップボードの内容を示すことを特徴とする方法。
【請求項２７】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記ステータス情報が、最も最近保存されたファイルの時刻、日付、場所、ファイルタイプ、およびサイズのうち少なくとも１つを示すことを特徴とする方法。
【請求項２８】
補助用コントロールおよび表示画面を有するコンピュータシステムにおいて、
補助用コントロールが現在の状態を維持している所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記補助用コントロールが数学演算子を表すキーであり、表計算のアプリケーションにおいて、前記ステータス情報が、前記数学演算子を表計算中のデータに適用した場合の結果を示すことを特徴とする方法。
【請求項２９】
前記補助用コントロールが、前記表示画面のスクロール機能を制御するように構成され、前記ステータス情報が前記ホイールの設定を識別することを特徴とする請求項１６に記載の方法。
【請求項３０】
補助用コントロールおよび表示画面を有するコンピュータシステムにおいて、
補助用コントロールが現在の状態を維持している第１の所定の期間にわたって、前記補助用コントロールに近接または接触している物理的存在を検出するステップと、
前記検出するステップに応答して前記表示画面に表示ウィジェットを表示するステップであって、前記表示ウィジェットが前記補助用コントロールと関連付けられたステータス情報を提供するステップと
を備え、前記補助用コントロールが前記表示画面のスクロール機能を制御するように構成され、前記ステータス情報はホイールのセッティングを示すことを特徴とする方法。
【請求項３１】
前記情報が表示ウィジェットを含むことを特徴とする請求項３０に記載の方法。
【請求項３２】
前記表示ウィジェットに、スクロールバーまたはツールバーが含まれることを特徴とする請求項３１に記載の方法。
【請求項３３】
前記表示画面から前記情報を消した後、第２の所定期間にわたる、前記補助用コントロールに近接または接触した前記物理的存在の不在を検出するステップと、
前記第２の所定期間にわたる前記物理的存在の前記不在を検出するのに応答して、前記情報を前記表示画面に再度表示するステップと
をさらに含むことを特徴とする請求項３０に記載の方法。
【請求項３４】
前記補助用コントロールがポインティングデバイスホイールであることを特徴とする請求項３０に記載の方法。
【請求項３５】
前記補助用コントロールが、スクロール機能を制御するように構成されていることを特徴とする請求項３０に記載の方法。
【請求項３６】
前記補助用コントロールがホイールまたはタッチパッドであることを特徴とする請求項３５に記載の方法。
【請求項３７】
前記補助用コントロールが、ボタンまたはキーのいずれかであることを特徴とする請求項３０に記載の方法。
【請求項３８】
前記第１の表示ウィジェットおよび前記第２の表示ウィジェットが異なることを特徴とする請求項５に記載の方法。
【請求項３９】
前記第１の表示ウィジェットは第１のアプリケーションと関連付けられ、前記第２の表示ウィジェットは前記第１のアプリケーションとは異なる第２のアプリケーションと関連付けられることを特徴とする請求項５に記載の方法。